(57)【要約】【課題】放熱用の孔に落ちた水が孔の下部で跳返って前方の表示部にかかるのを防ぐことができるとともに、孔の狭小化を小さくでき、放熱性を確保することができるようにする。【解決手段】前側に表示面を有する表示部と、該表示部の後側を被覆し、前後に貫通する孔２１が設けられているキャビネット２とを備え、前記孔２１の下部２１ａにおける前縁の上側に、前記下部２１ａで跳返った跳返水が当たる壁部２５を設け、下部２１ａで跳返った跳返水が表示部の後側にかかるのを防ぐことができるとともに、孔２１の狭小化を小さくでき、放熱性を確保することができるようにした。【選択図】図４
2009025661.tif 000002
【特許請求の範囲】
【請求項１】
前側に表示面を有する表示部と、該表示部の後側を被覆し、前後に貫通する孔が設けられているキャビネットとを備える表示装置において、前記キャビネットは、前記孔の下部における前縁の上側に壁部を設けてあることを特徴とする表示装置。
【請求項２】
前記孔の上下方向中間の両側面に連なる補強桟を有し、該補強桟の上部における前縁の上側に第２の壁部を設けてある請求項１記載の表示装置。
【請求項３】
前記壁部及び／又は第２の壁部は前記前縁に連なっている請求項１又は２記載の表示装置。
【請求項４】
前記壁部及び／又は第２の壁部は前記孔の前縁より前側に配してある請求項１又は２記載の表示装置。
【発明の詳細な説明】
【技術分野】
【０００１】
本発明は液晶表示装置、プラズマ表示装置、ＳＥＤディスプレイ、ＥＬディスプレイ等の表示装置に関する。
【背景技術】
【０００２】
テレビジョン等の薄型の表示装置は、映像を表示する表示面を前側に有する表示部と、前後に貫通する複数の放熱孔を有し、前記表示部の後側を被覆するキャビネットとを備え、前記表示部が発生するキャビネット内の熱を放熱孔から外部へ放熱することができるように構成されている（例えば特許文献１参照）。
【０００３】
このようにキャビネットに放熱孔が設けられている表示装置にあっては、コップ等の容器からこぼれた水がキャビネットにかかったり、空気調和機で結露した水滴がキャビネットにかかったりした際、キャビネットの外面を伝って落下する水が放熱孔に落ち、該放熱孔の最下位部に当たって跳返り、表示部の後側にかかることがある。因って、特許文献１では、放熱孔の最下位部を、内縁が外縁よりも上方となるように水平面に対して傾斜させることにより、放熱孔の最下位部に当たって跳返る水が表示部にかからないように構成してある。
【特許文献１】特開平１０−２２９５３０号公報
【発明の開示】
【発明が解決しようとする課題】
【０００４】
ところが、特許文献１のように放熱孔の最下位部が傾斜している表示装置にあっては、放熱孔が前方へ到るに従って漸次狭くなっているため、最下位部の傾斜角が比較的大きくなっている場合、放熱性が低下することになり、また、前記最下位部の全面が跳返面になっているため、最下位部の傾斜角が比較的小さくなっている場合、最下位部で跳返る跳返水が前方へ飛散し易く、止飛散性が悪くなり、止飛散性と放熱性とを満たすことが難しい。
【０００５】
本発明は斯かる事情に鑑みてなされたものであり、その主たる目的は放熱用の孔の下部における前縁の上側に止飛散用の壁部を設けることにより、孔の下部で跳返った跳返水を壁部に当て、跳返水の前方への飛散を防ぐことができるとともに、放熱性を確保することができる表示装置を提供することにある。
【課題を解決するための手段】
【０００６】
本発明に係る表示装置は、前側に表示面を有する表示部と、該表示部の後側を被覆し、前後に貫通する孔が設けられているキャビネットとを備える表示装置において、前記キャビネットは、前記孔の下部における前縁の上側に壁部を設けてあることを特徴とする。
この発明にあっては、キャビネットの外面を伝って落下する水が放熱用の孔に落ちた際、孔の下部に当たって跳返り、跳返水が壁部に当たるため、跳返水が孔の前方へ飛散するのを防ぐことができる。また、壁部は孔の下部における前縁の上側に配されているため、換言すると跳返水が当たる箇所に設けられているため、孔の狭小化を小さくでき、放熱性を確保することができる。
【０００７】
また、本発明に係る表示装置は、前記孔の上下方向中間の両側面に連なる補強桟を有し、該補強桟の上部における前縁の上側に第２の壁部を設けてある構成とするのが好ましい。
この発明にあっては、キャビネットの外面を伝って落下する水が放熱用の孔に落ちた際、補強桟の上部に当たって跳返り、跳返水が第２の壁部に当たるし、また、孔の下部に当たって跳返り、跳返水が壁部に当たるため、跳返水が孔の前方へ飛散するのを防ぐことができる。また、壁部は孔の下部における前縁の上側に配されており、第２の壁部は補強桟の上部における前縁の上側に配されているため、換言すると跳返水が当たる箇所に設けられているため、孔の狭小化を小さくでき、放熱性を確保することができる。
【０００８】
また、本発明に係る表示装置は、前記壁部及び／又は第２の壁部は前記前縁に連なっている構成とするのが好ましい。
本発明によれば、放熱用の孔に落ちた水が孔の下部、補強桟の上部からキャビネット内へ侵入するのを防ぐことができる。
【０００９】
また、本発明に係る表示装置は、前記壁部及び／又は第２の壁部は前記孔の前縁より前側に配してある構成とするのが好ましい。
本発明によれば、放熱用の孔に落ちた水を、壁部、第２の壁部に邪魔されることなく下方へ流すことができる。
【発明の効果】
【００１０】
本発明によれば、孔の下部に当たって跳返った跳返水が壁部に当たるため、跳返水が孔の前方へ飛散するのを防ぐことができ、表示部の後側に水がかかるのを防ぐことができる。また、壁部は孔の下部における前縁の上側に配されているため、孔の狭小化を小さくでき、放熱性を確保することができる。
【発明を実施するための最良の形態】
【００１１】
実施の形態１
以下本発明をその実施の形態を示す図面に基づいて詳述する。図１は本発明に係る表示装置の構成を示す縦断側面図、図２は表示装置の構成を示す正面図である。
【００１２】
図示した表示装置は、前側にパネル部１１を有し、後側に該パネル部１１へ光を照射するバックライト部１２及び該バックライト部１２の後側の面１ａに取付けられている基板モジュール１３を有し、略直方体をなす表示部１と、該表示部１の周縁部及び後側を被覆するキャビネット２とを備える薄型液晶テレビジョンである。
【００１３】
パネル部１１は、前側に表示面を有し略直方体をなすパネル１１ａ、及び該パネル１１ａの後側に配置された拡散板等の光学シート１１ｂを備える。バックライト部１２は、前記光学シート１１ｂの後側に上下に並置され、該光学シート１１ｂ側へ光を照射する複数本のランプ１２ａと、該ランプ１２ａを収容支持し、箱形をなすシャーシ１２ｂとを備え、パネル部１１の周縁部がシャーシ１２ｂに支持されている。ランプ１２ａは両端部に電極を有する冷陰極管であり、夫々のランプ１２ａの両端部の電極にインバータ回路基板が接続され、パルス幅変調信号により明るさが制御されるように構成されている。
【００１４】
シャーシ１２ｂは略直方体をなし、金属板を成形してなる枠部１２ｃと、該枠部１２ｃの後側端を閉塞し、金属板を成形してなる蓋板部１２ｄとを有し、該蓋板部１２ｄが表示部１の後側の面１ａになっており、該後側の面１ａの両側部には、バックライト部１２を駆動する前記インバータ回路基板がビス等の雄螺子により取付けられ、後側の面１ａの中央下部には表示部を起立状態で支持するスタンド３が取付けられている。
【００１５】
基板モジュール１３は、パネル部１１の駆動及び制御を行う制御回路基板と、パネル部１１に表示する映像を処理させる処理回路基板と、処理回路基板に電圧を供給する電源回路基板と、外部機器との間でケーブル等の導線が接続／切離される複数の端子を実装してある端子回路基板と、前記制御回路基板、処理回路基板、電源回路基板及び端子回路基板を一面に並べて取付けてある基板支持板とを備え、該基板支持板が前記後側の面１ａに取付けられている。前記制御回路基板、処理回路基板及び電源回路基板の夫々の実装面にはダイオード等の複数の電子部品が実装されている。
【００１６】
図３はキャビネット２の構成を示す背面図、図４はキャビネット２の放熱用の孔２１部の構成を示すもので、(a) は拡大背面図、(b) は縦断側面図である。キャビネット２は、表示部１の周縁部を被覆する枠部２ａと、深皿形をなし、表示部１の後側を被覆する蓋板部２ｂとを有し、内面を成形するコア型及び外面を成形するキャビティ型内に溶融されている合成樹脂を充填することにより一体成形されており、枠部２ａがシャーシ１２ｂの周縁部に取付けられている。
【００１７】
蓋板部２ｂの上部及び両側部には、前後に貫通する複数の放熱用の長孔２１が上下及び横方向へ離隔して並設され、蓋板部２ｂの一側部には前記端子基板に実装されている複数の端子に対応する貫通孔２２が設けられ、蓋板部２ｂの下部にはスタンド３に対応する凹所２３が設けられている。尚、長孔２１が孔を構成している。
【００１８】
長孔２１は長手方向が上下となるように並べて配されており、該長孔２１における長手方向中間（上下方向中間）に、両側面に連なる一つ又は複数の補強桟２４が一体に成形されている。一つの補強桟２４は長孔２１の長手方向中央に配され、複数の補強桟２４は長手方向にほぼ等間隔で配されている。
【００１９】
長手方向が上下となる長孔２１には、長孔２１における下部２１ａ（換言すると最下位部）の前縁から上方へ立上り、該前縁より前側に配されて前縁に連なる壁部２５と、補強桟２４における上部２４ａ（換言すると最上位部）の前縁から上方へ立上り、前縁より前側に配されて前縁に連なる第２の壁部２６とがキャビネット２と一体に設けられている。
【００２０】
壁部２５及び第２の壁部２６は、前記下部２１ａの前後長さと同程度の高さに形成され、長孔２１の下部２１ａで跳返った跳返水が壁部２５の外面に当たり、補強桟２４の上部２４ａで跳返った跳返水が第２の壁部２６の外面に当たり、跳返水がキャビネット２内の基板モジュール１３にかかるのを防ぐことができるように構成されている。また、壁部２５は前記下部２１ａと補強桟２４との間の孔長さＨに対して約１／６の高さとしてあり、第２の壁部２６は、長孔２１の上部２１ｂ及び補強桟２４の上部２４ａとの間の孔長さＨ１に対して約１／６の高さとしてある。
【００２１】
以上のように構成された表示装置は、室内の床に据置きされたり、壁掛けされたりする。バックライト部１２及び基板モジュール１３等が発生した熱はキャビネット２の放熱用の長孔２１から外部へ放熱される。
【００２２】
コップ等の容器からこぼれた水がキャビネット２の外面にかかったり、空気調和機等で結露した水滴がキャビネット２の外面にかかったりした際、キャビネット２の外面を伝って落下する水は放熱用の長孔２１に落ち、長孔２１の下部２１ａ及び補強桟２４の上部２４ａに当たって跳返る。この際、長孔２１の下部２１ａにおける前縁の上側に壁部２５が設けられ、補強桟２４の上部２４ａにおける前縁の上側に第２の壁部２６が設けられているため、長孔２１の下部２１ａに当たって跳返った跳返水は壁部２５に当たり、跳返水が長孔２１の前方へ飛散するのを防ぐことができる。また、補強桟２４の上部２４ａに当たって跳返った跳返水は第２の壁部２６に当たり、跳返水が長孔２１の前方へ飛散するのを防ぐことができる。因って、長孔２１に落ちた水が基板モジュール１３等の回路基板にかかるのを防ぐことができる。
【００２３】
また、壁部２５は長孔２１の下部２１ａにおける前縁の上側に配されており、第２の壁部２６は補強桟２４の上部２４ａにおける前縁の上側に配されているため、長孔２１の狭小化を小さくでき、放熱性を確保することができる。
【００２４】
実施の形態２
図５はキャビネット２の放熱用の孔２１部の他の構成を示すもので、(a) は拡大背面図、(b) は縦断側面図である。この表示装置は長孔２１の下部２１ａにおける前縁部から立上り、長孔２１の前縁より若干後側に配される壁部２５ａと、補強桟２４の上部２４ａにおける前縁部から立上り、長孔２１の前縁より若干後側に配される第２の壁部２６ａとを有する構成としたものである。
【００２５】
この表示装置にあっては、壁部２５ａが長孔２１の前縁部に連なり、第２の壁部２６ａが補強桟２４の上部２４ａに連なっているため、長孔２１に落ちた水が長孔２１の下部２１ａ、補強桟２４の上部２４ａからキャビネット２内へ侵入するのを防ぐことができる。
その他の構成及び作用は実施の形態１と同様であるため、同様の部品については同じ符号を付し、その詳細な説明及び作用効果の説明を省略する。
【００２６】
実施の形態３
図６はキャビネット２の放熱用の孔２１部の他の構成を示すもので、(a) は拡大背面図、(b) は縦断側面図である。この表示装置は長孔２１の下部２１ａにおける前縁の上側に前縁と離隔して配される壁部２５ｂと、補強桟２４における上部２４ａの前縁の上側に前縁と離隔して配される第２の壁部２６ｂとを有する構成としたものである。
【００２７】
この表示装置にあっては、壁部２５ｂが下部２１ａの前縁と上下に離隔し、壁部２５ｂ及び下部２１ａの間に空間があり、第２の壁部２６ｂが上部２４ａの前縁と上下に離隔し、第２の壁部２６ｂ及び上部２４ａの間に空間があるため、長孔２１に落ちた水を、壁部２５ｂ、第２の壁部２６ｂに邪魔されることなく下方へ流すことができる。
その他の構成及び作用は実施の形態１と同様であるため、同様の部品については同じ符号を付し、その詳細な説明及び作用効果の説明を省略する。
【００２８】
実施の形態４
図７はキャビネット２の放熱用の孔２１部の他の構成を示すもので、(a) は縦断背面図、(b) は縦断側面図である。この表示装置は長孔２１の下部２１ａにおける前縁の上側で、長孔２１の前縁より前側に配され、前縁に連なる壁部２５ｃと、補強桟２４の上部２４ａにおける前縁の上側で、長孔２１の前縁より前側に配され、前縁に連なる第２の壁部２６ｃとを有する構成としたものである。
【００２９】
この表示装置にあっては、長孔２１に落ちた水が下部２１ａ、上部２４ａに当たって跳返った跳返水は、壁部２５ｃ、第２の壁部２６ｃに当たり、跳返水が長孔２１の前方へ飛散するのを防ぐことができる。
その他の構成及び作用は実施の形態１と同様であるため、同様の部品については同じ符号を付し、その詳細な説明及び作用効果の説明を省略する。
【００３０】
実施の形態５
図８はキャビネット２の放熱用の孔２１部の他の構成を示すもので、(a) は縦断背面図、(b) は縦断側面図である。この表示装置は長孔２１の下部２１ａにおける幅方向中央側の前縁から立上り、長孔２１の両側面との間の隙間がある壁部２５ｄと、補強桟２４の上部２４ａにおける幅方向中央側の前縁から立上り、長孔２１の両側面との間の隙間がある第２の壁部２６ｄとを有する構成としたものである。
その他の構成及び作用は実施の形態１と同様であるため、同様の部品については同じ符号を付し、その詳細な説明及び作用効果の説明を省略する。
【００３１】
尚、以上説明した実施の形態では、その長手方向が上下となるように前後に貫通する放熱用の長孔２１を有する構成としたが、その他、放熱用の孔２１は円形、四角形であってもよく、その形状は特に制限されない。
【００３２】
また、以上説明した実施の形態では、放熱用の孔内に補強桟２４を有する構成としたが、その他、補強桟２４のない構成であってもよい。
【００３３】
また、本発明に係る表示装置は液晶テレビジョン等の液晶表示装置である他、プラズマ表示装置、ＳＥＤディスプレイ、ＥＬディスプレイ等の表示装置であってもよい。
【図面の簡単な説明】
【００３４】
【図１】本発明に係る表示装置の構成を示す縦断側面図である。
【図２】本発明に係る表示装置の構成を示す正面図である。
【図３】本発明に係る表示装置のキャビネットの構成を示す背面図である。
【図４】本発明に係る表示装置のキャビネットの放熱用の孔部の構成を示すもので、(a) は拡大背面図、(b) は縦断側面図である。
【図５】本発明に係る表示装置のキャビネットの放熱用の孔部の他の構成を示すもので、(a) は拡大背面図、(b) は縦断側面図である。
【図６】本発明に係る表示装置のキャビネットの放熱用の孔部の他の構成を示すもので、(a) は拡大背面図、(b) は縦断側面図である。
【図７】本発明に係る表示装置のキャビネットの放熱用の孔部の他の構成を示すもので、(a) は拡大背面図、(b) は縦断側面図である。
【図８】本発明に係る表示装置のキャビネットの放熱用の孔部の他の構成を示すもので、(a) は拡大背面図、(b) は縦断側面図である。
【符号の説明】
【００３５】
１    表示部
２    キャビネット
２１  長孔（孔）
２１ａ  下部
２４  補強桟
２４ａ  上部
２５，２５ａ〜２５ｄ  壁部
２６，２６ａ〜２６ｄ  第２の壁部
【図１】
2009025661.tif 000003
【図２】
2009025661.tif 000004
【図３】
2009025661.tif 000005
【図４】
2009025661.tif 000006
【図５】
2009025661.tif 000007
【図６】
2009025661.tif 000008
【図７】
2009025661.tif 000009
【図８】
2009025661.tif 000010